(57)【特許請求の範囲】
【請求項１】
蓄電池（１）と、該蓄電池（１）を充電および放電するための制御部（１０６）と、前記蓄電池（１）および前記制御部（１０６）を収容するケース（３０３）とを備えた電池ユニット（１００）において、
前記ケース（３０３）内に、前記蓄電池（１）をシール状態で収容する第１の部屋（３０３１）と、前記制御部（１０６）が収容される第２の部屋（３０３２）と、前記第１の部屋（３０３１）と前記第２の部屋（３０３２）とをシール状態で仕切る仕切り壁（３０５、３０６）とを有し、
前記第１の部屋（３０３１）には、前記第２の部屋（３０３２）を貫いて前記第１の部屋（３０３１）と前記ケース（３０３）の外側とを結び、前記第１の部屋（３０３１）を前記外側と連通させる排煙用ダクト（３０７）を設けたことを特徴とする電池ユニット。
【請求項２】
前記蓄電池（１）と前記制御部（１０６）との間を電気接続する端子部材（３０５ａ、３０６ａ）を有し、前記端子部材（３０５ａ、３０６ａ）の一部がシール状態を保って前記仕切り壁（３０５、３０６）に埋設されていることを特徴とする請求項１に記載の電池ユニット。
【請求項３】
金属製の前記端子部材（３０５ａ、３０６ａ）は、合成樹脂よりなる前記仕切り壁（３０５、３０６）に一体成形され、前記端子部材（３０５ａ、３０６ａ）と前記仕切り壁（３０５、３０６）とが一体化された状態で前記ケース（３０３）に挿入されて固定されることを特徴とする請求項２に記載の電池ユニット。
【請求項４】
前記仕切り壁（３０５、３０６）を挿入する溝部（５０６、５０７、５０８、５０９）を前記ケース（３０３）に有し、前記仕切り壁（３０５、３０６）は前記溝部（５０６〜、５０９）内に凹凸嵌合されることで前記ケース（３０３）内に組み付けられていることを特徴とする請求項３に記載の電池ユニット。
【請求項５】
前記制御部（１０６）が発生した熱を放熱するヒートシンク（３０９）を有し、
前記ヒートシンク（３０９）は前記ケース（３０３）と一体化され、前記第２の部屋（３０３２）の前記ヒートシンク（３０９）の両側に第１スペース（５０１）と第２スペース（５０２）とが存在し、
前記蓄電池（１）は、前記第１スペース（５０１）と前記第２スペース（５０２）とが並ぶ方向と平行に並んだ電極（１ｄ１、１ｄ２等）を有し、
前記第１スペース（５０１）に第１端子部材（３０５ａ）が配置され、前記第２スペース（５０２）に第２端子部材（３０６ａ）が配置されていることを特徴とする請求項２ないし４のいずれか一項に記載の電池ユニット。
【請求項６】
前記仕切り壁（３０５、３０６）は、第１仕切り壁（３０５）と第２仕切り壁（３０６）とからなり、
前記ケース（３０３）または前記ヒートシンク（３０９）と一体化された固定仕切り壁（４００）を有し、
前記第１スペース（５０１）は、前記固定仕切り壁（４００）の一方側と前記ケース（３０３）との間に挿入された前記第１仕切り壁（３０５）によって前記第１の部屋（３０３１）とシール状態とされ、
前記第２スペース（５０２）は、前記固定仕切り壁（４００）の他方側と前記ケース（３０３）との間に挿入された前記第２仕切り壁（３０６）によって前記第１の部屋（３０３１）とシール状態とされていることを特徴とする請求項５に記載の電池ユニット。
【発明の詳細な説明】
【技術分野】
【０００１】
本発明は、ケース内に蓄電池と、該蓄電池を制御する制御部とを収容した電池ユニットに関するものである。
【背景技術】
【０００２】
従来、特許文献１にて、電池セルから発生したガス（煙）を確実に電池パック（組電池）外に排出できると共に、電池セル内に発生したガスを電池パック外に排出するためのガス開放室を設けた電池パックが知られている。
【先行技術文献】
【特許文献】
【０００３】
【特許文献１】特開２０１１−１７５８４４号公報
【発明の概要】
【発明が解決しようとする課題】
【０００４】
電池セルが組み合わされてできた組電池をケース内に収容してなる電池ユニットを構築した場合、上記従来例に準じて、組電池内の電池セルの不具合により発生したガスを、組電池の外側に漏れ出さないよう排煙用ダクト（ガス開放室）を組電池に接続し、この排煙用ダクトを介して、組電池内部のガスを外部（車外）へ排出することが考えられる。
【０００５】
ところで、ケース内に組電池の蓄電および組電池からの放電を制御する制御部を一緒に収容する場合、制御部と組電池内の電池セルとを接続するための配線部材（端子部材とも言う）を設ける必要がある。しかし、その場合、組電池内で発生した有害なガスが組電池内から制御部周辺に至り制御部の正常動作または耐久性を害する可能性がある。なお、組電池でなく単一の電池の場合も基本的には同じであるが、組電池の場合のほうが、外部に取出す配線部材（電圧検出線等）が多くなり、このため、上記問題点が顕著になる。
【０００６】
本発明は、このような従来の技術に存在する問題点に着目して成されたものであり、その目的は、意図しないケース外および制御部への有害なガス漏れを防止しつつ、ケース内に蓄電池と制御部とを収容できる電池ユニットにすることにある。
【０００７】
従来技術として列挙された特許文献の記載内容は、この明細書に記載された技術的要素の説明として、参照によって導入ないし援用することができる。
【課題を解決するための手段】
【０００８】
本発明は上記目的を達成するために、下記の技術的手段を採用する。すなわち、本発明では、蓄電池（１）と、該蓄電池（１）を充電および放電するための制御部（１０６）と、蓄電池（１）および制御部（１０６）を収容するケース（３０３）とを備えた電池ユニット（１００）において、ケース（３０３）内に、蓄電池（１）をシール状態で収容する第１の部屋（３０３１）と、制御部（１０６）が収容される第２の部屋（３０３２）と、第１の部屋（３０３１）と第２の部屋（３０３２）とをシール状態で仕切る仕切り壁（３０５、３０６）とを有し、第１の部屋（３０３１）には、第２の部屋（３０３２）を貫いて第１の部屋（３０３１）とケース（３０３）の外側とを結び、第１の部屋（３０３１）を外側と連通させる排煙用ダクト（３０７）を設けたことを特徴としている。
【０００９】
この発明によれば、ケース内には、第１の部屋と第２の部屋とが設けられ、第１の部屋とケースの外側とが排煙用ダクトで結ばれているため、第１の部屋に収容された蓄電池から発生したガスは、排煙用ダクトを通してケース外部に排出できる。また、仕切り壁によって、制御部が収容された第２の部屋にガスが漏れ出すことがなく、第２の部屋の制御部の耐久性または作動が損なわれることが無い。
【００１０】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００１１】
【図１】本発明の一実施形態における扁平型蓄電池を積層し互いに直列に接続した電池ユニットとその周辺の電気回路図である。
【図２】本発明の一実施形態における電池ユニットを示し、組電池をケース内に収納した状態を示す平面図である。
【図３】上記一実施形態における最上層の扁平型蓄電池の平面図である。
【図４】上記一実施形態における最上層に隣接する扁平型蓄電池の平面図である。
【図５】図３と図４の扁平型蓄電池を重ねた状態を示す平面図である。
【図６】上記一実施形態における最下段となる１段目の支持部材の斜視図である。
【図７】上記一実施形態における２段目の支持部材の斜視図である。
【図８】上記一実施形態における３段目の支持部材の斜視図である。
【図９】上記一実施形態における４段目の支持部材の斜視図である。
【図１０】上記一実施形態における１段目から４段目の支持部材内に複数の扁平型特電池を収容した組電池を示す斜視図である。
【図１１】本発明の一実施形態におけるケースの平面図である。
【図１２】図１１の矢印XII方向から見た排煙用ダクトのガス排出孔の形状を示すケース内壁の一部側面図である。
【図１３】図１１の矢印XIII方向から見たケースの側面図である。
【図１４】図１４は、図１１のケースの裏面図である。
【図１５】図１１のケース内の溝部に、仕切り壁を挿入した状態を示す斜視図である。
【図１６】図１５の仕切り壁と一体形成された第１端子部材の斜視図である。
【図１７】図１５の仕切り壁と一体形成された第２端子部材の斜視図である。
【発明を実施するための形態】
【００１２】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００１３】
各実施形態で具体的に組合せが可能であることを明示している部分同士の組合せばかりではなく、特に組合せに支障が生じなければ、明示していなくても実施形態同士を部分的に組合せることも可能である。
【００１４】
（一実施形態）
以下、本発明の一実施形態となる電池ユニットについて図１ないし図１７を用いて詳細に説明する。図１において、電池セルを構成しリチウム電池からなる扁平型蓄電池１ａ、１ｂ、１ｃ、１ｄ（ラミセルまたはラミネートセルとも呼ばれる）は、その厚み方向に積層され、互いに直列に接続されて組電池１を構成している。そして、組電池１は、複数の電池セルと、この電池セルに付属するプラス電極およびマイナス電極と、これらの各電極に接続された図１では図示しない導体部と、電池セルを包囲し支持する複数の支持部材とから成る。このように外に出た各電極を除いて電池セルの集合体は、後述する支持部材の集合体内に保持されている。従って、電池セル内部の故障により有害なガスが発生したときは、支持部材相互の隙間等から組電池１の外部にガスが出ることになる。しかし、組電池１を内部に収容する後述する金属製のケースによって、ガスはケース内部にとどまり、更に、後述する排煙用ダクトを介して安全な外部にガスが放出される。
【００１５】
車両を始動するスタータ１０１と、鉛蓄電池１０２を充電するオルタネータ１０３が設けられている。鉛蓄電池１０２の入出力電流は充電制御センサ１０４によって検出される。鉛蓄電池１０２から車両の照明灯や点火装置等の一般負荷１０５が給電される。
【００１６】
車両は、ガソリンエンジン等で走行するが、坂道やブレーキ時に、オルタネータ１０３の発電量を増やして電力回生を行う。電池ユニット１００は、車両の電力回生時に、オルタネータ１０３で発電された電力により充電される。
【００１７】
また、車両は、アイドルストップ機構が装備されており、信号待ち等での車両停止時に、エンジンが自動的に停止し、ブレーキを離すとエンジンが再始動する。エンジンが停止している間のオルタネータ１０３の出力がゼロのときは、電池ユニット１００の電力が活用される。
【００１８】
電池ユニット１００は、コントロールユニット（制御部）１０６に接続され、アイドルストップ中の被保護負荷１０７への電源供給を行うものである。被保護負荷１０７は、例えば、ナビゲーションシステム、パワーウインドウ、エンジン制御装置等からなる。
【００１９】
電池ユニット１００は、各扁平型蓄電池１ａ〜１ｄの集合体である組電池１を有する。扁平型蓄電池１ａ〜１ｄの積層数量は、単電池の電圧によって異なるが、自動車電源のレベルまで上げるために４ないし５個が直列に接続される。
【００２０】
この組電池１を構成する扁平型蓄電池１ａ〜１ｄの両端電圧は、５個の電圧検出端子２ａ、２ｂ、２ｃ、２ｄ、２ｅによって外部に取出し可能となっている。電池ユニット１００は、組電池１のプラス電極を取出す総プラス端子３を有し、マイナス電極はグランド端子４（ＧＮＤ端子）として図示しない金属のケースに接地されている。
【００２１】
端子２ａ〜２ｅは、組電池１の電極に接続された後述する金属バーから成る導電部６ａ２、６ａ１、６ｃ２、６ｃ１、６ｄ１を延長して形成しても良いし、別の金属バーを接合しても良い。あるいは、導電部６ａ１〜６ｄ１に接続された電線で端子２ａ〜２ｅを形成しても良い。組電池１は、コントロールユニット（制御部）１０６とともに後述する金属のケース内に収納されて電池ユニット１００を形成している。
【００２２】
図２および図３において、最上部の扁平型蓄電池１ｄは、中央部に膨出した電池本体３０１を有している。この扁平型蓄電池１ｄの表面は、樹脂で覆われたラミネート構造である。扁平型蓄電池１ｄは、プラス電極１ｄ１とマイナス電極１ｄ２とを備えている。扁平型蓄電池１ｄの真下には、図２および図４のように、扁平型蓄電池１ｃが位置しており、扁平型蓄電池１ｃは、プラス電極１ｃ１とマイナス電極１ｃ２とを備えている。図２の１ｂ１は、扁平型蓄電池１ｂのプラス電極であり、１ａ２は、扁平型蓄電池１ａのマイナス電極である。図２では、プラス電極１ｂ１に対向するマイナス電極１ｂ２と、マイナス電極１ａ２に対向するプラス電極１ａ１が上方に隠れている。
【００２３】
図６において、最下段の合成樹脂の支持部材（樹脂プレート）７１は、最下段の扁平型蓄電池１ａを受ける枠として構成されている。支持部材７１には、電圧検出用バスバー３２１、３２２がインサート成形されている。電圧検出用バスバー３２１、３２２の一端には、上述のプラス電極およびマイナス電極に接続される導電部６ａ１、６ｂ２、６ａ２が、支持部材７１で保持されている。導電部６ａ１には電極１ａ１が、導電部６ｂ２には電極１ｂ２が、導電部６ａ２には電極１ａ２が夫々接続される。
【００２４】
図７の支持部材７２は、導電部６ｂ１、６ｃ２を保持し、かつ外部から絶縁している。導電部６ｂ１、６ｃ２には夫々電極１ｂ１、１ｃ２が夫々接続される。図８の支持部材７３は、導電部６ｃ１、６ｄ２を保持し、かつ外部から絶縁している。導電部６ｃ１、６ｄ２には、電極１ｃ１、１ｄ２が夫々接続されている。図９の支持部材７４は、導電部６ｄ１（電極１ｄ１）を、保持し、かつ外部から絶縁している。支持部材７１〜７４は、扁平型蓄電池（電池セル）と共に積層された後に、図１０に示したボルト３３１等の締結手段によって、互いに結合されて、組電池１が完成している。
【００２５】
図１０から判明するように、組電池１は、複数の電池セルと、この電池セルに付属するプラス電極１ｃ１等およびマイナス電極１ｃ２等と、これらの各電極に接続された導体部と、電池セルを包囲し支持する複数の支持部材７１〜７４とから成る。このように外に出た各電極および導体部を除いて電池セルの集合体は、支持部材７１〜７４の集合体内に保持されている。
【００２６】
従って、電池セル内部の故障により有害なガスが発生したときは、支持部材７１〜７４相互の隙間等から組電池１の外部にガスが出ることになる。これを阻止し、ガスを組電池１の内部に閉じ込めようとすると、シール構造等が複雑になる。組電池１を内部に収容する図２の金属製のケース３０３によって、ガスは、ケース３０３内にとどまり、更に、排煙用ダクト３０７を介して安全な外部にガスが放出される。
【００２７】
図２において、図１の鉛蓄電池１０２からの配線は、鉛蓄電池接続用ターミナル３００に接続される。グランド端子４（図１）を成す端子部材３０２は、ヒューズ３０２ｆを介してアルミニウムのケース３０３に接続されている。
【００２８】
ケース３０３は、内部に４つの扁平型蓄電池（電池セル）からなる組電池１を収容する閉空間を構成している。また、ケース３０３は、取付け用ブラケット３０３ａ、３０３ｂ、３０３ｃ、３０３ｄ等を一体に有している。正極を成す端子部材３０４は、総プラス端子３（図１）に接続され、更に、コントロールユニット１０６を成す図示しないＥＣＵ基盤（プリント基板）に接続されている。
【００２９】
図２の合成樹脂からなる第１仕切り壁３０５および第２仕切り壁３０６には、図１のコントロールユニット（制御部とも言う）１０６等に接続される第１端子部材３０５ａおよび第２端子部材３０６ａが、一体成形されている。これらの仕切り壁３０５および３０６によって、組電池１を収容する部屋と外部とが区画されている。排煙用ダクト３０７を成す中空のパイプ部は、外部と組電池１を収容する部屋内とを連通している。
【００３０】
排煙用ダクト３０７は、扁平型蓄電池１ａ〜１ｄから発生する有害ガスを外部に放出するものであり、車両側からの図示しない排煙用ホースに接続される。排煙用ダクト３０７を成す中空のパイプ部は、金属のケース３０３に同一材料で連続して一体に成形され、外部とケース３０３の内部とを連通する。
【００３１】
仕切り壁３０５および３０６と一体形成された第１端子部材３０５ａおよび第２端子部材３０６ａは、扁平型蓄電池１ａ〜１ｄからの端子と接続され、扁平型蓄電池１ａ〜１ｄからなる組電池１側とコントロールユニット１０６側等とを中継する。
【００３２】
コントロールユニット１０６側のＭＯＳＦＥＴ（電気部品）３０８の取付け位置を、図２において仮想的に示している。図２では、４個のＭＯＳＦＥＴ３０８が、ヒートシンク３０９の上方に位置することを仮想的に示している。
【００３３】
排煙用ダクト３０７を成す中空のパイプ部は、ヒートシンク３０９内を貫通して形成されている。制御部を成すコントロールユニット１０６には、ＭＯＳＦＥＴ３０８以外にも多数の電気部品が図示しないプリント基板上に実装されているが、図２では省略している。ＭＯＳＦＥＴ３０８は、組電池１の電流が流れる電源切替スイッチとして機能して発熱する。
【００３４】
コントロールユニット１０６は、ケース３０３内に収納され、組電池１への蓄電と組電池１からの放電とを制御する制御部を構成している。そして、ケース３０３と一体に形成されたヒートシンク３０９は、制御部１０６から出た熱を外部に放出する。排煙用ダクト３０７のパイプ部は、ヒートシンク３０９と一体に形成されて外部に突出している。
【００３５】
４個のＭＯＳＦＥＴ３０８は、制御部１０６の電気部品を構成している。このＭＯＳＦＥＴ３０８が、ヒートシンク３０９に接しているとともに、他の電気部品と共にコネクタ３１０に接続されている。そして、ヒートシンク３０９とコネクタ３１０とが、ケース３０３の同じ側面に並置されている。ヒートシンク３０９は、ケース３０３の裏側に突出して形成された放熱フィン３０９ａを有し、排煙用ダクト３０７は、山状に突出した放熱フィン３０９ａの山部に形成されている。
【００３６】
全体として箱型のケース３０３は、図示しないカバーが被せられ、排煙用ダクト３０７を除いた密閉空間を形成する。この密閉空間内には、組電池１が収容される第１の部屋３０３１と、第１の部屋３０３１に対してガスが流れにくいシール状態で、制御部１０６およびヒートシンク３０９が収容される第２の部屋３０３２とを備えている。
【００３７】
第２の部屋３０３２は、第１の部屋３０３１と分離され、排煙用ダクト３０７は、第１の部屋３０３１の内部から第２の部屋３０３２を貫いて、ケース３０３の外部と第１の部屋３０３１の内部とを連通している。
【００３８】
第２の部屋３０３２では、ヒートシンク３０９の両側に第１スペース５０１と第２スペース５０２とを備えている。第１スペース５０１に、組電池１に接続された第１端子部材３０５ａを有している。第２スペース５０２に、組電池１に接続された第２端子部材３０６ａを有している。
【００３９】
電池セルの一部を成す扁平型蓄電池１ｄ、１ｃは、両端部（図３から図５の上下方向両端）にプラス電極１ｄ１、１ｃ１とマイナス電極１ｄ２、１ｃ２とを有している。これらの各電極１ｄ１〜１ｃ２は、剛性が小さい薄片状の導体である。
【００４０】
これらの各電極１ｄ１〜１ｃ２は、扁平型蓄電池１ｄ、１ｃの中心軸から、図３ないし図５の左右方向に偏って配置されている。例えば、図３では左側に偏って各電極１ｄ１、１ｄ２が配置され、図４では、右側に偏って各電極１ｃ１、１ｃ２が配置されている。
【００４１】
よって、図５のように、積層方向に隣接する扁平型蓄電池１ｄ、１ｃ同士を積層した状態では、積層方向に隣接する扁平型蓄電池１ｄ、１ｃ同士のプラス電極１ｄ１、１ｃ１とマイナス電極１ｄ２、１ｃ２とは、図５の左右に離れて配置される。そして、プラス電極１ｄ１、１ｃ１とマイナス電極１ｄ２、１ｃ２とが、金属ターミナルからなる図示しないプラス側の導電部とマイナス側の導電部に電気的接続部にて接続される。
【００４２】
図９の導電部６ｄ１、図８の導電部６ｃ１等に対する電極１ｄ１、１ｃ１等の電気的接続は、超音波溶接で行われ、扁平型蓄電池１ｄ、１ｃ同士のプラス電極１ｄ１、１ｃ１とマイナス電極１ｄ２、１ｃ２とが、図５の左右に離れて配置されていることにより、各電極の上下に、溶接用工具が挿入し易くなっている。
【００４３】
この一実施形態においては、図６ないし図９の支持部材７１〜７４（樹脂枠とも言う）で扁平型蓄電池１ａ〜１ｄを支持している。各支持部材７１〜７４は、４つのカラー部３１１、３１２、３１３、３１４を外側に突出して形成している。
【００４４】
これらのカラー部３１１〜３１４には、ボルト等の締結具３３１（図１０）が挿入されて締めつけられる。カラー部３１１〜３１４は、各支持部材７１〜７４と一体の樹脂材料が膨出した突起部の孔内に、金属製のカラーを有している。この金属製のカラー同士が互いに接触して、支持部材７１〜７４積層後の締め付け力を受けとめている。
【００４５】
合成樹脂の枠からなる支持部材７１〜７４の個数は、この実施形態では４個である。最上部には合成樹脂ではなく金属製の図示しないカバーが被せられる。このカバーの内側には図示しないバネが配置され、４つの扁平型蓄電池は、組み付け後において、上記バネの弾性力により互いに圧接される。図６の突起（ピン）４０１は、図７の凹部（ピン穴）４０２に嵌合され、支持部材７１〜７４相互間を位置決めしている。
【００４６】
次に、更に詳しくケース３０３の構成について、図１０から図１５を用いて説明する。図１０のように、組電池１は、複数の電池セル（扁平型蓄電池）と、この電池セルに付属するプラス電極およびマイナス電極と、これらの各電極に接続された導体部と、電池セルを包囲し支持する複数の支持部材７１〜７４とから成る。このように外に出た各電極を除いて、電池セルの集合体は、支持部材７１〜７４の集合体内に保持されている。
【００４７】
従って、電池セル内部の故障により有害なガスが電池セルから発生したときは、支持部材７１〜７４相互の僅かな隙間等から組電池１の外部にガスが出ることになる。しかし、組電池１を内部に収容する後述する金属製のケース３０３によって、ガスはケース３０３内にとどまり、更に、後述する排煙用ダクト３０７を介して安全な外部にガスが放出される。
【００４８】
図２の排煙用ダクト３０７を成す中空のパイプ部は、外部と扁平型蓄電池１ａ〜１ｄを収容する第１の部屋３０３１内とを連通している。排煙用ダクト３０７は、金属のケース３０３に一体に成形されたパイプ部を持ち、外部とケース３０３の内部とを連通する。
【００４９】
なお、金属のケース３０３に一体に成形型でパイプ部を成形しても良いし、金属のケース３０３に一体に成形型でパイプ部を成形し、パイプ部内を切削して中空としても良い。この場合、ヒートシンク３０９とパイプ部が一体であるから、切削時にパイプ部周辺のケース３０３が変形することが実質無く、切削が容易である。
【００５０】
コントロールユニット１０６は、ケース３０３内に収納され、組電池１への蓄電と組電池１からの放電とを制御する制御部を構成している。そして、ケース３０３と一体に形成されたヒートシンク３０９は、制御部１０６から出た熱を外部に放出する。排煙用ダクト３０７のパイプ部は、ヒートシンク３０９と一体に形成されて外部に突出している。
【００５１】
４個のＭＯＳＦＥＴ３０８は、制御部１０６の電気部品の一部を構成している。このＭＯＳＦＥＴ３０８がヒートシンク３０９に接しているとともに、ＭＯＳＦＥＴ３０８がコネクタ３１０に接続されている。そして、ヒートシンク３０９とコネクタ３１０とが、ケース３０３の同じ側面に並置されている。
【００５２】
図１１において、全体として箱型のケース３０３内には、組電池１が収容される第１の部屋３０３１と、第１の部屋３０３１に対してガスが流れにくいシール状態で、制御部１０６およびヒートシンク３０９が収容される第２の部屋３０３２とを備えている。
【００５３】
第２の部屋３０３２は、第１の部屋３０３１と分離され、排煙用ダクト３０７は、第１の部屋３０３１の内部から、第２の部屋３０３２を貫いて、ケース３０３の外部と第１の部屋３０３１の内部とを連通している。
【００５４】
第２の部屋３０３２には、ヒートシンク３０９が存在している。そして、ヒートシンク３０９の両側に第１スペース５０１と第２スペース５０２とを形成している。第１スペース５０１に、組電池１と外部とを接続する図２の第１端子部材３０５ａを有している。第２スペース５０２に、組電池１と外部とを接続する第２端子部材３０６ａを有している。
【００５５】
電池セル内部の故障により有害なガスが発生したときは、図１０の支持部材７１〜７４相互の隙間等から組電池１の外部にガスが出ることになる。しかし、組電池１を内部に収容する金属製のケース３０３によって、ガスは、ケース３０３内にとどまり、更に、排煙用ダクト３０７を介して安全な外部にガスが放出される。
【００５６】
図１１において、排煙用ダクト３０７を成す中空のパイプ部は、外部と扁平型蓄電池を収容する第１の部屋３０３１内とを連通している。ケース３０３と一体にヒートシンク３０９および排煙用ダクト３０７の中空のパイプ部が形成されている。
【００５７】
第１の部屋３０３１と第２の部屋３０３２とは、図１１では図示されない仕切り壁によって最終的に仕切られる。よって、第２の部屋３０３２は、第１の部屋３０３１に対してガスが流れにくいシール状態にされる。後述する上記仕切り壁は、仕切り壁挿入用の溝部５０６、５０７、５０８、５０９内に挿入される。
【００５８】
図１２は、図１１の矢印XII方向から見た排煙用ダクトのガス排出孔３０７ａの形状を示している。図１１において、排煙用ダクト３０７は、第１の部屋３０３１の内部から第２の部屋３０３２を貫いて、ケース３０３の外部と第１の部屋３０３１の内壁（後述する固定仕切り壁４００）のガス排出孔３０７ａ（図１２）とを連通している。
【００５９】
図１３は、図１１の矢印XIII方向から見たケースの側面を図示している。図１３において、排煙用ダクト３０７のパイプ部は、ヒートシンク３０９と一体に形成されて外部に突出している。ヒートシンク３０９は、ケース３０３の外側に突出して形成された放熱フィン３０９ａを複数有し、排煙用ダクト３０７は、山状に突出した放熱フィン３０９ａの山部に形成されている。
【００６０】
図１４は、ケース３０３の裏面図である。ヒートシンク３０９の裏面は、ケース３０３の底部３０３３の内側に窪ませて形成された放熱フィン３０９ａを有している。排煙用ダクト３０７は、山状に突出した放熱フィン３０９ａの山部に沿って延在している。
【００６１】
図１５は、図１１のケース内の溝部５０６〜５０９に、複数の仕切り壁３０５、３０６を挿入した状態を示す斜視図である。第１の部屋３０３１と第２の部屋３０３２とは、仕切り壁３０５、３０６および固定仕切り壁４００によって仕切られ、第２の部屋３０３２は、第１の部屋３０３１に対してガスが流れにくいシール状態にされる。
【００６２】
図１６は、仕切り壁３０５と一体形成された第１端子部材３０５ａの斜視図である。合成樹脂からなる仕切り壁３０５には、第１端子部材３０５ａがインサート成形されて一体の部品として形成されている。従って、仕切り壁３０５は、第１の部屋３０３１と第２の部屋３０３２とを仕切るだけでなく、第１端子部材３０５ａを保持し外部から絶縁している。
【００６３】
仕切り壁３０５には、溝部５０６、５０７（図１１）に挿入しやすいように、かつシール性を高めるために、傾斜部３０５ｂが形成されている。リング状の金具３０５ｃは、仕切り壁３０５にインサート成形されている。仕切り壁３０５を溝部５０６、５０７に挿入した後で、リング状の金具３０５ｃ内にボルトが挿入され、ケース３０３が確実に仕切り壁３０５に取り付けられる。
【００６４】
図１７は、仕切り壁３０６（図１５）と一体形成された総プラス端子３および第２端子部材３０６ａの斜視図である。合成樹脂からなる第２仕切り壁３０６には、総プラス端子３および第２端子部材３０６ａがインサート成形されて、一個の部品が形成されている。
【００６５】
従って、仕切り壁３０６は、第１の部屋３０３１と第２の部屋３０３２とを仕切るだけでなく、総プラス端子３および第２端子部材３０６ａを保持し外部から絶縁している。仕切り壁３０６には、図１１の溝部５０８、５０９に密接して打ち込まれるように、傾斜部３０６ｂが仕切り壁３０６と対応する溝部とに形成されている。また、ボルト締め用のリング状の金具３０６ｃが、仕切り壁３０５にインサート成形されている。
【００６６】
図１５のように、第１端子部材３０５ａは、例えば、２つの電圧検出端子と水没センサ用の端子とを備える。第２端子部材３０６ａは、例えば、上記２つの電圧検出端子とは別の３つの電圧検出端子と、太い金属ターミナルから成る総プラス端子３（図１７）とを有する。
【００６７】
仕切り壁３０５および３０６と一体形成された端子部材３０５ａおよび３０６ａは、扁平型蓄電池１ａ〜１ｄからの正極側端子および負極側端子に接続され、扁平型蓄電池１ａ〜１ｄからなる組電池１と、外部のコントロールユニット１０６等とを中継する端子部材を形成している。
【００６８】
（一実施形態の作用）
蓄電池１と制御部１０６との間は、端子部材３０５ａ、３０６ａによって電気的接続が成される。そして、端子部材３０５ａ、３０６ａの一部がガスが流れにくいシール状態を保って仕切り壁３０５、３０６に埋設されている。これによれば、端子部材３０５ａ、３０６ａの一部がガスが流れにくいシール状態を保って仕切り壁３０５、３０６に埋設されていることで、第１の部屋３０３１に収容された蓄電池１から発生したガスが、制御部１０６が収容された第２の部屋３０３２に、端子部材３０５ａ、３０６ａの周囲を介して漏れ出すことがない。ガスは、排煙用ダクト３０７を通してケース３０３の外部に排出できる。
【００６９】
金属製の端子部材３０５ａ、３０６ａは、合成樹脂よりなる仕切り壁３０５、３０６に、例えばインサート成形により一体成形されている。そして、端子部材３０５ａ、３０６ａと仕切り壁３０５、３０６とは、一体化され一部品とされた状態で、ケース３０３に挿入されて固定されている。これによれば、端子部材３０５ａ、３０６ａと仕切り壁３０５、３０６とが一体化された状態でケース３０３に挿入されて固定されるから、部品点数を削減できる。
【００７０】
ケース３０３には、仕切り壁３０５、３０６を挿入する溝部５０６、５０７、５０８、５０９を有する。そして、仕切り壁３０５、３０６は、溝部５０６〜５０９内に凹凸嵌合されることで、ケース３０３内に組み付けられている。これによれば、仕切り壁３０５、３０６とケース３０３との結合が容易である。なお、溝部５０６〜５０９と仕切り壁３０５、３０６の両端部とに傾斜部３０５ｂ、３０６ｂ（図１６、図１７）を設けて挿入後の密着度を増すことにより、仕切り壁３０５、３０６のシール状態を高めることができる。
【００７１】
制御部１０６は、該制御部１０６が発生した熱を放熱するヒートシンク３０９を有している。該ヒートシンク３０９はケース３０３と一体化されている。そして、第２の部屋３０３２では、ヒートシンク３０９の両側に第１スペース５０１と第２スペース５０２とが存在している。
【００７２】
蓄電池１は、第１スペース５０１と第２スペース５０２とが並んだ方向と平行に電極１ｄ１、１ｄ２等を有している。その上で、第１スペース５０１に第１端子部材ル３０５ａが配置され、第２スペース５０２に第２端子部材３０６ａが配置されている。
【００７３】
これによれば、第１スペースと第２スペースとに分けて、異なる端子部材が夫々配置され、中央に制御部とヒートシンクとを有するから、制御部に対して両サイドから配線ができ、かつ第１端子部材と第２端子部材が、単一スペースに集中しないから、各端子部材から外部への信号の取出しおよび制御部への結線がし易い。
【００７４】
固定仕切り壁４００が、ケース３０３またはヒートシンク３０９と一体化されている。そして、第１スペース５０１は、固定仕切り壁４００の一方とケース３０３との間に挿入された第１仕切り壁３０５によって、第１の部屋３０３１に対して実質的にガスが流れにくいシール状態とされている。一方、第２スペース５０２は、固定仕切り壁４００の他方とケース３０３との間に挿入された第２仕切り壁３０６によって、第１の部屋３０３１とガスが流れにくいシール状態にされている。
【００７５】
これによれば、第１スペースと第２スペースとに分けて、異なる端子部材ならびに仕切り壁が配置されるため、仕切り壁３０５、３０６を分けることにより、絶縁物よりなる各仕切り壁３０５、３０６の長さを短くでき、熱変形を考慮した寸法設計および生産管理が容易になる。また、ケース３０３と一体の固定仕切り壁４００が存在する分、ガスが流れにくいシール状態にし易い。
【００７６】
（その他の実施形態）
本発明は、上述した実施形態にのみ限定されるものではなく、次のような変形または拡張することができる。例えば、上記一実施形態において、支持部材（樹脂プレート）７１、７２、７３、７４相互間に、積み重ねで嵌め合うピンとピン穴のような凹凸嵌合部を設定したが、電池セルを成す扁平型蓄電池１ａ〜１ｄに位置決め孔を設定し、凹凸嵌合部が、上記位置決め孔を通して互いに嵌合することで、扁平型蓄電池１ａ〜１ｄおよび支持部材７１〜７４を積上げて組み付ける時の、組付性の向上を図っても良い。
【００７７】
また、排煙用ダクトのパイプ部は断面円形でなくてもよく、多角形でも良い。更に、組電池１は、複数の支持部材で囲ったが、組電池１を囲む箱状の１つないし２つの支持部材で囲っても良い。
【００７８】
上記実施形態では、仕切り壁３０５、３０６は複数設けたが、単一の仕切り壁によって、第２の部屋３０３２を、第１の部屋３０３１に対してガスが流れにくいシール状態に保ち、有害なガスが第２の部屋３０３２に侵入しないようにしても良い。
【００７９】
更に、最下段の支持部材７１に、積層された扁平型蓄電池１ａ〜１ｄから成る組電池１全体の質量を受ける面を設定し、積層された扁平型蓄電池１ａ〜１ｄから成る組電池１の持ち運びおよび作業性の向上を図ってもよい。これによれば、ケース３０３内に組電池１が組み込まれる前の、組電池１単体での取り扱いが容易になる。なお、上記実施形態においては、蓄電池として電池セルを互いに接続した組電池を用いたが、蓄電池が、実質単一の電池セルからなる場合であっても良い。なお、本発明で言うシール状態とは、完全な気密状態でなくても良い。また、仕切り壁自体はボルトでケースに固定されるので、仕切り壁を溝部に挿入しなくても、ケースの側面部に当接するだけでも良い。
【符号の説明】
【００８０】
１  蓄電池（組電池）
１０６  制御部（コントロールユニット）
３０３  ケース
３０３１  第１の部屋
３０３２  第２の部屋
３０５、３０６  仕切り壁
３０５ａ、３０６ａ  端子部材
３０７  排煙用ダクト
３０９  ヒートシンク
５０６、５０７、５０８、５０９  溝部
【図１】
0005942579.tif 000002
【図２】
0005942579.tif 000003
【図３】
0005942579.tif 000004
【図４】
0005942579.tif 000005
【図５】
0005942579.tif 000006
【図６】
0005942579.tif 000007
【図７】
0005942579.tif 000008
【図８】
0005942579.tif 000009
【図９】
0005942579.tif 000010
【図１０】
0005942579.tif 000011
【図１１】
0005942579.tif 000012
【図１２】
0005942579.tif 000013
【図１３】
0005942579.tif 000014
【図１４】
0005942579.tif 000015
【図１５】
0005942579.tif 000016
【図１６】
0005942579.tif 000017
【図１７】
0005942579.tif 000018